(57)【要約】【課題】  従来、上部側の横端太材をフォーム固定具の上に配置後、下部側の横端太材を上部側の横端太材の下側に並列に取付ける際、長尺材からなる横端太材の一端を他の作業者に保持してもらう必要がある。即ち、横端太材の取付け取外し作業は複数人で共同作業を行う必要があり、作業効率が非常に良くなかった。【解決手段】  本発明は、型枠の補強に用いる横端太材を略Ｓの字状に形成された横端太材保持金具で保持・固定することで、従来複数人で共同作業していた横端太材の取付け取外し作業を単独でできるようにした。【選択図】図１
2008196302.tif 000002
【特許請求の範囲】
【請求項１】
前端部に打撃部と、前記打撃部下辺に屈曲部と、中間部に突起部よりなる開口部を設けた上部狭持部と、後端部にも開口部を設けた下部狭持部を有する略Ｓの字状で形成されたことを特徴としたコンクリート型枠の横端太材保持金具。
【請求項２】
前端部に打撃部と、前記打撃部下辺に屈曲部と、前記打撃部中央部に上部引掛け部と、中間部に上部差込孔を兼用できる突起部よりなる開口部を設けた上部狭持部と、後端部に先端部と、前記先端部中央部に下部差込孔と、中間部に下部引掛け部よりなる開口部を設けた下部狭持部を有する略Ｓの字状で一体に形成された本体において、上部差込孔及び下部差込孔に線状体を挿入して、上部引掛け部及び下部引掛け部に連結することを特徴としたコンクリート型枠の横端太材保持金具。
【発明の詳細な説明】
【技術分野】
【０００１】  本発明は、コンクリート型枠の外側に付設される横端太材を固定するための保持金具であり、コンクリート型枠の横端太材を、型枠に対して単独で安全・確実に保持し、横端太材の取付け取外しを容易に行うことができるコンクリート型枠の横端太材保持具に関するものである。
【背景技術】
【０００２】  従来、この種のコンクリート工事に使用されているコンクリート型枠においては、型枠に対して縦・横端太材を当てがってネジを締付けるものが知られている。この場合、型枠に対してコンクリート打設側から外側へ貫通するようにセパレータを設け、このセパレータの端部に設けた雄ネジと係合するように、先端に雌ネジを設けたフォーム固定具で型枠を狭持するようにして２本１組の横端太材を締付け固定されるようになっている。
この方法の場合、上部側横端太材をフォーム固定具の上に配置後、下部側横端太材を上部側横端太材の下側に並列に取付ける際、長尺材からなる下部側横端太材の一端を他の作業者に保持してもらう必要がある。なお、下記［特許文献１］では、従来、複数人で共同作業していた横端太材の取外し取付け作業の煩わしさを排除し、単独で安全確実に作業できるようになっている。
【特許文献１】  特願平１１−５９４０４公報
【発明の開示】
【発明が解決しようとする課題】
【０００３】  しかし、この補強材保持金具は、下記に示すような問題点を発見した。まず、下部側横端太材を取付ける場合、下部把持部が水平であるので反動等により横端太材が落下する恐れがあるので、下部把持部の挿入孔に楔を打込んだ後でないと取付けることができない。従って、楔を打込み後、略コ字形の限定された中空間に挿入することになり作業効率が非常に良くない。
次に、前記補強材保持金具を取外す場合、上部把持部は、上部側横端太材に差込み挿入孔に楔を打込んだ後、下部把持部に下部側横端太材を挿入する工法なので、上部側横端太材を取外さないと打込まれた楔を挿入孔より除去することができず補強材保持金具を取外す作業が困難である。仮に、上部把持部と下部把持部の楔を外し回転させ取外そうとしても、挿入孔部分の先端部や下部把持部の隅部が上部側横端太材に抵触し外れない。また、取付けた場所によっては、前記補強材保持金具を上部側横端太材端部に移動して取外そうとしても、外枠・桟木等１３に抵触して取外すことができない。従って、前記補強材保持金具は、コンクリート打設後に下部側横端太材を取外した後でないと除去できない。即ち、下部側横端太材を取付ける場合、前記補強材保持金具をそのつど取付けた状態にして据置くことになり、多数量の前記補強材保持金具が必要であり、保管・運搬・取付け手間等の経済的負担が大きい。【０００４】  このような横端太材の取付け取外しを容易にし、作業効率を向上させることを目的としたコンクリート型枠の横端太材保持金具を提供する。
【課題を解決するための手段】
【０００５】  上記課題を解決するために、本発明は次のような構成とする。
請求項１に記載の発明は、前端部に打撃部と、前記打撃部下辺に屈曲部と、中間部に突起部よりなる開口部を設けた上部狭持部と、後端部にも開口部を設けた下部狭持部を有する略Ｓの字状で形成されたことを特徴としたコンクリート型枠の横端太材保持金具である。即ち、上部側横端太材に前記横端太材保持金具の上部狭持部からなる開口部ｂを差込み固定した後、下部狭持部からなる開口部ｃに下部側横端太材を挿入する。従って、本発明は、仮止めとして使用するので、上部側横端太材の左右端部の任意の位置に仮止めし、下部狭持部からなる開口部ｃに、単独で下部側横端太材を取付けた後すぐにフォーム固定具で固定する。その後に、上部狭持部の打撃部をハンマー等で取外す方向に打込むか押圧で外圧を加え屈曲部と突起部により拡開させ、取外し方向に回転するようにして引張ると同時に下部狭持部も下部側横端太材に添って回転する。その際、逆略Ｓの字状の状態まで回転させて取外し方向に引張ることで取外すことができる。また、前記補強材保持金具のように取外さずにして、型枠解体時に下部側横端太材を単独で除去する際に利用することもできる。
なお、本発明の横端太材保持金具Ａにおいて、「開口部ｂ」とは、横端太材保持金具を上部側横端太材に差込む際に、上部狭持部の屈曲部と突起部が上部側横端太材に抵触し、その際に拡開して摩擦で乗り越えその後に拡縮して係止する空間を意味する。
また、下部狭持部の「開口部ｃ」は、下部横端太材を挿入しやすいように、先端部を拡大とし落下防止のため簡単に外れないように傾斜をつけ保持性を高めることを目的とする。【０００６】  請求項２に記載の発明は、前端部に打撃部と、前記打撃部下辺に屈曲部と、前記打撃部中央部に上部引掛け部と、中間部に上部差込孔を兼用できる突起部よりなる開口部を設けた上部狭持部と、後端部に先端部と、前記先端部中央部に下部差込孔と、中間部に下部引掛け部よりなる開口部を設けた下部狭持部を有する略Ｓの字状で一体に形成された本体において、上部差込孔及び下部差込孔に線状体を挿入して、上部引掛け部及び下部引掛け部に連結することを特徴としたコンクリート型枠の横端太材保持金具である。即ち、上部側横端太材に横端太材保持金具の上部狭持部からなる開口部ｂを差込み固定した後、上部差込孔と一体となた線状体で上部引掛け部に係止する。次に、下部狭持部からなる開口部ｃに下部側横端太材を挿入し、下部差込孔と一体になった線状体で下部引掛け部に係止する。従って、本発明は、仮止めと取付けた状態の双方に兼用できるので、上部側横端太材の左右端部の任意の位置に仮止め・取付けし前記線状体を取付ける。その後、下部狭持部からなる開口部ｃに、単独で下部側横端太材を取付けた後に、前記線状体を取付けフォーム固定具で固定する。次に、コンクリート打設後の型枠除去する際に、上部側横端太材及び下部側横端太材より前記線状体を取外し、上部狭持部の打撃部をハンマー等で取外す方向に打込むか押圧で外圧を加え屈曲部と突起部により拡開させ、取外し方向に回転するようにして引張ると同時に下部狭持部も下部側横端太材に添って回転する。その際、逆略Ｓの字状の状態まで回転させて取外す方向に引張ることで容易に取外すことができる。
また、前記補強材保持金具のように取外さずにして、型枠解体時に下部側横端太材の除去する際に利用することもできる。
なお、本発明の横端太材保持金具Ｂにおいて、「開口部ｂ」とは、横端太材保持金具を上部側横端太材に差込む際に、上部狭持部の屈曲部と突起部が上部側横端太材に抵触し、その際に拡開して摩擦で乗り越えその後に拡縮して係止することと、上部差込孔に一体に連結してある線状体を上部引掛け部に連結する際に、上部引掛け部と下部引掛け部とを押圧することで拡縮し、その後、拡開することで上部引掛け部に係止する空間を意味する。
また、下部狭持部の「開口部ｃ」は、下部横端太材を挿入しやすいように、先端部を拡大とし落下防止のため簡単に外れないように傾斜をつけ保持性を高めることを目的とする。さらに、下部引掛け部の先端に線状体を用いて一体に連結する際に、下部差込孔４ａをハンマー等で打込むか押圧することで拡縮し、その後、拡開することで下部引掛け部に係止する空間を意味する。
【発明の効果】
【０００７】  請求項１に記載の発明は、前端部に打撃部と、前記打撃部下辺に屈曲部と、中間部に突起部よりなる開口部を設けた上部狭持部と、後端部にも開口部を設けた下部狭持部を有する略Ｓの字状で形成されたことを特徴としたコンクリート型枠の横端太材保持金具である。従って、上部狭持部に突起部を設けることで上部側横端太材に開口部を差込んだ後、前記屈曲部と前記突起部による拡縮で相乗効果が発生し保持力が向上する。
次に、横端太材保持金具Ａを取外す作業工程を説明する。
まず、横端太材保持金具の上部狭持部を上部側横端太材より取外す際に、上部狭持部の打撃部をハンマー等で取外す方向に打込むか押圧で外圧を加え屈曲部と突起部により拡開させ、取外し方向に回転するようにして引張ると同時に下部狭持部も下部側横端太材に添って回転する。その際、逆略Ｓの字状の状態まで回転させることで上部狭持部が上部側横端太材より外れ、下部狭持部も下部側横端太材より外れるので取付け方向に引張ることで容易に取外すことができる。【０００８】  請求項２に記載の発明は、前端部に打撃部と、前記打撃部下辺に屈曲部と、前記打撃部中央部に上部引掛け部と、中間部に上部差込孔を兼用できる突起部よりなる開口部を設けた上部狭持部と、後端部に先端部と、前記先端部中央部に下部差込孔と、中間部に下部引掛け部よりなる開口部を設けた下部狭持部を有する略Ｓの字状で一体に形成された本体において、上部差込孔及び下部差込孔に線状体を挿入して、上部引掛け部及び下部引掛け部に連結することを特徴としたコンクリート型枠の横端太材保持金具である。従って、上部狭持部に上部差込孔を兼用できる突起部を設けることで、上部側横端太材に開口部を差込んだ後、前記屈曲部と前記突起部による拡縮で相乗効果が発生して保持力の向上となり、さらに、線状体で上部引掛け部と一体とすることでより安全性を確保できる。
次に、横端太材保持金具Ｂを取外す作業工程を説明する。
まず、横端太材保持金具の上部狭持部を上部側横端太材より取外す際に、下部狭持部の下部差込孔に押圧を加え線状体を下部引掛け部より取外す。次に、下部横端太材を取外し下部狭持部と上部狭持部の打撃部に押圧を加えることで線状体を上部引掛け部より取外す。その後、上部狭持部の打撃部をハンマー等で取外す方向に打込むか押圧で外圧を加え屈曲部と突起部により拡開させ、取外し方向に回転するようにして引張ると同時に下部狭持部も下部側横端太材に添って回転する。その際、逆略Ｓの字状の状態まで回転させることで上部狭持部が上部側横端太材より外れ、下部狭持部も下部側横端太材より外れるので取外す方向に引張ることで容易に取外すことができる。【０００９】  本発明によるコンクリート型枠の横端太材保持金具Ａ・Ｂは、横端太材の取付け取外しにおいて、従来複数人で共同作業していたものを単独で迅速・確実に行うことができる。具体的には、フォーム固定具の上部に横端太材を配置し固定する場合、従来は、下部側横端太材を持上げてフォーム固定具の押え座金に係合してから締付ける必要があった。本発明の横端太材保持金具は、上部側横端太材を取付けと同時に任意の位置にセットすることで、押え座金が下部側横端太材に係合できるような形状で構成されているので、持上げたり不要な操作をする必要がなく上部側横端太材及び下部側横端太材を取付けた状態で、フォーム固定具の押え座金を確実に固定できるので取付け作業が大幅に改善される。
また、横端太材保持金具の構造もシンプルな形状であり、低価格に製造できるので施工負担費を軽減することができる。なお、複数の横端太材（鋼管型パイプ・角型パイプ・その他）にも横端太材保持金具Ａ・Ｂは兼用できる構成であり、材質・形状に関しても特別限定するものではない。
【発明を実施するための最良の形態】
【００１０】  本発明の横端太材保持金具で下部側横端太材を保持・係止することにより、従来、複数人で共同作業していた取外し取付け作業を単独でできるようにしてある。即ち、前記横端太材保持金具は、前端部に縦端太材との結合による上部側横端太材に固定できる上部狭持部を有し、後端部に上部側横端太材に並列する下部側横端太材を保持できるような形状とした略Ｓの字状に形成している。従って、上部側横端太材に前記横端太材保持金具を固定した後、下部狭持部に下部側横端太材を挿入することで確実に保持することができる。【００１１】（実施形態１）  以下、図面を用いて説明する。図１は本発明の取付け状態図を示す、図２は斜視図を示す、図３は取付け斜視図である。請求項１に記載の発明は、前端部に打撃部３と、前記打撃部３下辺が屈曲部３ｂと中間部に突起部１ａよりなる開口部ｂを設けた上部狭持部１と、後端部にも開口部ｃを設けた下部狭持部２を有する略Ｓの字状で形成されたことを特徴としたコンクリート型枠の横端太材保持金具Ａである。
まず、型枠８に対してコンクリート打設側から外側へ挿入するようにセパレータを設け、このセパレータ９の端部に設けた軸足ネジに締結するように、先端に雌ネジを設けたフォーム固定具１０を設け型枠８を狭持する。この型枠８の外側に所定間隔に突出しているフォーム固定具１０の上部を利用して上部側横端太材１１を配置し、さらに、この上部側横端太材１１に本発明の横端太材保持金具Ａの上部狭持部１の開口部ｂを差込み固定する。その後、下部狭持部２に下部側横端太材１２を挿入してフォーム固定具１０で固定する。【００１２】  次に、横端太材保持金具Ａの説明をする。本発明は、板状からなる略Ｓの字状で形成され、前端部にハンマー等で打込むか押圧できる打撃部３と前記打撃部３下辺に屈曲部３ｂと中間部に突起部１ａよりなる開口部ｂを設けた上部狭持部１と、後端部にも開口部ｃを設けた下部狭持部２を設けてある。従って、上部側横端太材１１に、上部狭持部１で開口部ｂを差込む際に、打撃部３をハンマー等で取付け方向に打込むか押圧することで打撃部３下辺の屈曲部３ｂと中間部に設けた突起部１ａが、拡開し摩擦で乗り越えることで係止する形状である。
また、下部狭持部２は、下部側横端太材１２を挿入する際に、開口部ｃを挿入しやすいように先端を拡大とする形状にした。【００１３】（実施形態２）  以下、図面を用いて説明する。図４は本発明の取付け状態図を示す、図５は斜視図を示す、図６は取付け斜視図を示す、図７は線状体の正面図を示す、図８は線状体の側面図を示す。請求項２に記載の発明は、前端部に打撃部３と、前記打撃部３下辺に屈曲部３ｂと前記打撃部３中央部に上部引掛け部５と中間部に上部差込孔３ａを兼用できる突起部１ａよりなる開口部ｂを設けた上部狭持部１と、後端部に先端部４と、前記先端部４中央部に下部差込孔４ａと中間部に爪状からなる下部引掛け部６よりなる開口部ｃを設けた下部狭持部２を有する略Ｓの字状で一体に形成された本体において、上部差込孔３ａ及び下部差込孔４ａに丸棒状からなる線状体７の両端部７ａを挿入して、上部引掛け部５及び下部引掛け部６に連結することを特徴としたコンクリート型枠の横端太材保持金具Ｂである。
まず、型枠８に対してコンクリート打設側から外側へ挿入するようにセパレータを設け、このセパレータ９の端部に設けた軸足ネジに締結するように、先端に雌ネジを設けたフォーム固定具１０を設け型枠８を狭持する。この型粋８の外側に所定間隔に突出しているフォーム固定具１０の上部を利用して上部側横端太材１１を配置し、さらに、この上部側横端太材１１に本発明の横端太材保持金具Ｂの上部狭持部１の開口部ｂを差込み固定する。その後、下部狭持部２に下部側横端太材１２を挿入してフォーム固定具１０で固定する。【００１４】  次に、横端太材保持金具Ｂの説明をする。本発明は、板状からなる略Ｓの字状で形成され、前端部にハンマー等で打込むか押圧できる打撃部３と前記打撃部３下辺に屈曲部３ｂと中間部に突起部１ａよりなる開口部ｂを設けた上部狭持部１と、後端部にもハンマー等で打込むか押圧できる先端部４を設けた開口部ｃを有する下部狭持部２を設けてある。従って、上部側横端太材１１に上部狭持部１で開口部ｂで差込む際、打撃部３をハンマー等で取付け方向に打込むか押圧することで打撃部３下辺の屈曲部３ｂと中間部の突起部１ａが、拡開し摩擦で乗り越えることで係止する形状である。さらに、上部狭持部１の打撃部３の上部引掛け部５及び、下部狭持部２の中間部の爪状からなる下部引掛け部６に、中間部の上部差込孔３ａ及び、先端部４の下部差込孔４ａに回転できるように両端部７ａを製造段階で一体とした丸棒状で曲線からなる線状体７を係止して固定する形状とした。
また、下部狭持部２は、下部側横端太材１２を挿入する際に、開口部ｃを挿入しやすいように先端部４を拡大とする形状にした。【００１５】  その他の実施形態として図９を用いて説明する。前端部に打撃部３と、前記打撃部下辺に屈曲部３ｂよりなる開口部ｂを設けた上部狭持部１と、後端部にも開口部ｃを設けた下部狭持部２を有する略Ｓの字状で形成されたことを特徴としたコンクリート型枠の横端太材保持金具である。
従って、この例では角材を想定しているが複数の横端太材（鋼管パイプ・角型パイプ・その他）に使用できる構成としてある。
【図面の簡単な説明】
【００１６】
【図１】  実施形態１の取付け状態図である。
【図２】  実施形態１の斜視図である。
【図３】  実施形態１の取付け斜視図である。
【図４】  実施形態２の取付け状態図である。
【図５】  実施形態２の斜視図である。
【図６】  実施形態２の取付け斜視図である。
【図７】  実施形態２の線状体の正面図である。
【図８】  実施形態２の線状体の側面図である。
【図９】  その他の実施形態の取付け状態図である。
【符号の説明】
【００１７】  Ａ・Ｂ      横端太材保持金具
１          上部狭持部
１ａ        突起部
２          下部狭持部
３          打撃部
３ａ        上部差込孔
３ｂ        屈曲部
４          先端部
４ａ        下部差込孔
５          上部引掛け部
６          下部引掛け部
７          線状体
７ａ        先端
ｂ・ｃ      開口部
８          型枠
９          セパレータ
１０        フォーム固定具
１１        上部側横端太材
１２        下部側横端太材
１３        外枠・桟木等
【図１】
2008196302.tif 000003
【図２】
2008196302.tif 000004
【図３】
2008196302.tif 000005
【図４】
2008196302.tif 000006
【図５】
2008196302.tif 000007
【図６】
2008196302.tif 000008
【図７】
2008196302.tif 000009
【図８】
2008196302.tif 000010
【図９】
2008196302.tif 000011